(57)【要約】【課題】管理対象物品の状態を容易に知ることができる無線タグ及び無線タグ情報読み取り装置を提供する。【解決手段】書籍Ｂに関連して取り扱われ、情報を記憶するＩＣ回路部１５０と情報を送受信するアンテナ１５１とを備えた無線タグ回路素子Ｔoを有する無線タグラベルＴBであって、当該無線タグラベルＴBの無線タグ回路素子ＴoのＩＣ回路部１５０は、タグ識別情報であるＵＩＤと、書籍Ｂの属性情報と、書籍Ｂの管理状態情報とを記憶保持している。【選択図】図５
2008186119.tif 000002
【特許請求の範囲】
【請求項１】
管理対象物品に関連して取り扱われ、情報を記憶するＩＣ回路部と情報を送受信するタグ側アンテナとを備えた物品用無線タグ回路素子を有する無線タグであって、
前記ＩＣ回路部は、
タグ識別情報と、
前記管理対象物品の対象物情報と、
前記管理対象物品の管理状態情報と
を記憶保持していることを特徴とする無線タグ。
【請求項２】
請求項１記載の無線タグにおいて、
前記ＩＣ回路部は、
前記管理状態情報として、貸借可能な前記管理対象物品の貸借情報を記憶保持する
ことを特徴とする無線タグ。
【請求項３】
請求項２記載の無線タグにおいて、
前記ＩＣ回路部は、前記貸借情報として、
前記管理対象物品が、受け入れ後の未登録状態、登録後の未貸出状態、及び貸出後の未返却状態のいずれかを記憶保持する
ことを特徴とする無線タグ。
【請求項４】
請求項２又は請求項３記載の無線タグにおいて、
前記ＩＣ回路部は、
前記管理対象物品を貸借する貸借者の所持する人物用無線タグ回路素子の識別情報を記憶保持する
ことを特徴とする無線タグ。
【請求項５】
請求項２乃至請求項４のいずれか１項記載の無線タグにおいて、
前記ＩＣ回路部は、
前記管理対象物品の貸借の態様に関する貸借態様情報を記憶保持する
ことを特徴とする無線タグ。
【請求項６】
請求項１乃至請求項５のいずれか１項記載の無線タグにおいて、
前記ＩＣ回路部は、
少なくとも前記タグ識別情報を登録するための登録手段に対し情報登録が確実に行われたか否かを表す登録確認情報を記憶保持する
ことを特徴とする無線タグ。
【請求項７】
請求項１乃至請求項６のいずれか１項記載の無線タグにおいて、
前記ＩＣ回路部は、
無線タグ情報読み取り装置による読み取り後、前記無線タグ情報読み取り装置において実行する処理メニューを指示するための指示情報
を記憶保持することを特徴とする無線タグ。
【請求項８】
請求項７記載の無線タグにおいて、
前記ＩＣ回路部は、
一連の処理手順からなる前記処理メニューを指示するための複数の指示情報を、処理順序に沿うように互いに関連づけて記憶保持する
ことを特徴とする無線タグ。
【請求項９】
請求項８記載の無線タグにおいて、
前記ＩＣ回路部は、
前記複数の指示情報を、対応する複数の格納領域にそれぞれ記憶保持し、
各指示情報が、前記一連の処理手順に沿った次の処理手順を表す前記指示情報の格納領域へのリンク指標を含むように、記憶保持する
ことを特徴とする無線タグ。
【請求項１０】
請求項９記載の無線タグにおいて、
前記ＩＣ回路部は、
操作者の操作に応じ切り替え指定される互いに異なる２つの前記リンク指標を含む前記指示情報を記憶保持する
ことを特徴とする無線タグ。
【請求項１１】
請求項１乃至請求項１０のいずれか１項記載の無線タグにおいて、
前記ＩＣ回路部は、
前記無線タグ情報読み取り装置が読み取り結果に応じて実行する表示メニューを指示するための表示処理情報を含む前記指示情報を記憶保持する
ことを特徴とする無線タグ。
【請求項１２】
管理対象物品に関連して取り扱われ、情報を記憶するＩＣ回路部と情報を送受信するタグ側アンテナとを有し、前記ＩＣ回路部に、タグ識別情報と、前記管理対象物品の対象物情報と、管理対象物品の管理状態情報と、無線タグ情報読み取り装置において実行する処理メニューを指示するための指示情報とを記憶した物品用無線タグ回路素子と無線通信により情報の送受信を行うための通信手段と、
前記通信手段を介し前記物品用無線タグ回路素子の前記ＩＣ回路部に記憶された情報を取得するための情報取得手段と、
前記情報取得手段での情報取得結果に応じて、前記処理メニューを実行するメニュー処理手段と
を有することを特徴とする無線タグ情報読み取り装置。
【請求項１３】
請求項１２記載の無線タグ情報読み取り装置において、
前記通信手段は、
前記ＩＣ回路部に、前記タグ識別情報と、前記対象物情報と、前記管理状態情報と、無線タグ情報読み取り装置が読み取り結果に応じて実行する表示メニューを指示するための表示処理情報を含む前記指示情報とを記憶した物品用無線タグ回路素子と情報の送受信を行い、
前記メニュー処理手段は、
前記情報取得手段での情報取得結果に応じて、前記表示メニューを表示する表示信号を出力する表示処理手段を含む
ことを特徴とする無線タグ情報読み取り装置。
【請求項１４】
請求項１３記載の無線タグ情報読み取り装置において、
前記通信手段は、
貸借可能な前記管理対象物品が、受け入れ後の未登録状態、登録後の未貸出状態、及び貸出後の未返却状態のいずれであるかを表す貸借情報を、前記管理状態情報として前記ＩＣ回路部に記憶保持した前記物品用無線タグ回路素子と情報の送受信を行う
ことを特徴とする無線タグ情報読み取り装置。
【請求項１５】
請求項１４記載の無線タグ情報読み取り装置において、
前記通信手段は、
前記管理対象物品を貸借する貸借者に所持され、情報を記憶するＩＣ回路部と情報を送受信するタグ側アンテナとを有し、前記ＩＣ回路部に、タグ識別情報と、前記貸借者の人物情報を記憶保持した人物用無線タグ回路素子と情報の送受信を行い、
前記情報取得手段は、
前記通信手段を介し、前記物品用無線タグ回路素子の前記ＩＣ回路部及び前記人物用無線タグ回路素子の前記ＩＣ回路部に記憶された情報を取得し、
前記表示処理手段は、
前記情報取得手段による前記物品用無線タグ回路素子及び前記人物用無線タグ回路素子からの情報取得結果に応じて、前記表示する表示メニューを決定する
ことを特徴とする無線タグ情報読み取り装置。
【請求項１６】
請求項１５記載の無線タグ情報読み取り装置において、
前記情報取得手段による前記物品用無線タグ回路素子及び前記人物用無線タグ回路素子からの情報取得結果に基づき、
前記管理対象物品が前記未貸出状態であり、前記貸借者の人物情報が正常に取得された場合には、前記表示処理手段は、前記管理対象物品の貸出処理を行うための前記表示メニューを表示するための前記表示信号を出力し、
前記管理対象物品が前記未返却状態であり、前記貸借者の人物情報が前記管理対象物品を借り受けた人物と合致した場合には、前記表示処理手段は、前記管理対象物品の返却処理を行うための前記表示メニューを表示するための前記表示信号を出力する
ことを特徴とする無線タグ情報読み取り装置。
【発明の詳細な説明】
【技術分野】
【０００１】
本発明は、情報を記憶するＩＣ回路部と情報を送受信するタグ側アンテナとを備えた無線タグ回路素子を有する無線タグ及びこの無線タグの情報を読み取る無線タグ情報読み取り装置に関する。
【背景技術】
【０００２】
物品管理を行う際に、管理対象の物品に情報保持部（バーコードや無線タグ等）を設け、その保持された情報を非接触で読み取る情報読み取り装置が既に知られている。例えば、情報保持部として無線タグを設ける場合、ＲＦＩＤ（Ｒａｄｉｏ Ｆｒｅｑｕｅｎｃｙ Ｉｄｅｎｔｉｆｉｃａｔｉｏｎ）システムと称される。
【０００３】
このシステムにおいては、例えばラベル状の無線タグに備えられた無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用が期待されている。
【０００４】
このような無線タグ情報読み取り装置の従来技術として、例えば図書館において書籍の貸し出しの管理を行うための情報読み取り装置がある（例えば、特許文献１参照）。この無線タグ情報読み取り装置（物品管理システム）では、図書館の出口に設けたリーダにより、出口を通過する利用者に備えられる無線タグ回路素子と、利用者が借り出そうとする書籍に備えられる無線タグ回路素子の両方から無線タグ情報を読み取り、これらに基づく貸し出し管理情報をデータベースに登録する。これにより、どの書籍を誰に貸し出したのかが把握できるようになっている。
【０００５】
【特許文献１】特開２００１−２２９２６３号公報
【発明の開示】
【発明が解決しようとする課題】
【０００６】
上記従来技術では、書籍の無線タグ回路素子には書籍を識別するための識別情報が記憶されているが、管理対象である書籍が例えば貸し出し待ち状態であるのか、又は貸し出し中の状態であるのかといった貸し出し管理状態を表す情報が記憶されていない。このため、書籍の貸し出し管理状態を知るためには、無線タグ情報読み取り装置で書籍の無線タグ回路素子の情報読み取りを行った上でデータベースにアクセスし、当該読み取った書籍の識別情報に対応する貸し出し管理情報を検索する必要があった。したがって、管理対象である書籍の管理状態を容易に知ることができなかった。
【０００７】
本発明の目的は、管理対象物品の状態を容易に知ることができる無線タグ及び無線タグ情報読み取り装置を提供することにある。
【課題を解決するための手段】
【０００８】
上記目的を達成するために、第１の発明は、管理対象物品に関連して取り扱われ、情報を記憶するＩＣ回路部と情報を送受信するタグ側アンテナとを備えた物品用無線タグ回路素子を有する無線タグであって、前記ＩＣ回路部は、タグ識別情報と、前記管理対象物品の対象物情報と、前記管理対象物品の管理状態情報とを記憶保持していることを特徴とする。
【０００９】
本願第１発明においては、ＩＣ回路部に、タグ識別情報、管理対象物品の対象物情報に加え、管理対象物品の管理状態情報が記憶保持されている。これにより、操作者が無線タグ情報読み取り装置で情報読み取りを行い上記管理状態情報を取得するだけで、さらにデータベースへのアクセス等を行わなくても、当該管理対象物品の状態を容易に知ることができる。
【００１０】
第２の発明は、上記第１発明において、前記ＩＣ回路部は、前記管理状態情報として、貸借可能な前記管理対象物品の貸借情報を記憶保持することを特徴とする。
【００１１】
これにより、管理対象物品が貸借されるものであった場合、操作者が無線タグ情報読み取り装置で情報読み取りを行い上記管理状態情報を取得するだけで、その貸借状態を知ることができる。
【００１２】
第３の発明は、上記第２発明において、前記ＩＣ回路部は、前記貸借情報として、前記管理対象物品が、受け入れ後の未登録状態、登録後の未貸出状態、及び貸出後の未返却状態のいずれかを記憶保持することを特徴とする。
【００１３】
これにより、管理対象物品が貸借されるものであった場合、未登録状態、未貸出状態、未返却状態のいずれであるかを知ることができる。
【００１４】
第４の発明は、上記第２又は第３の発明において、前記ＩＣ回路部は、前記管理対象物品を貸借する貸借者の所持する人物用無線タグ回路素子の識別情報を記憶保持することを特徴とする。
【００１５】
これにより、操作者が無線タグ情報読み取り装置で情報読み取りを行ったとき、管理対象物品の貸借情報と、人物用無線タグ回路素子の識別情報との整合性を判定することが可能となる。この結果、判定結果に基づく種々の処理を行うことができ、利便性を向上することができる。
【００１６】
第５の発明は、上記第２乃至第４発明のいずれかにおいて、前記ＩＣ回路部は、前記管理対象物品の貸借の態様に関する貸借態様情報を記憶保持することを特徴とする。
【００１７】
これにより、操作者が無線タグ情報読み取り装置で情報読み取りを行ったとき、貸出期限の設定等の詳細な貸出管理を併せて行うことができ、さらに利便性が向上する。
【００１８】
第６の発明は、上記第１乃至第５発明のいずれかにおいて、前記ＩＣ回路部は、少なくとも前記タグ識別情報を登録するための登録手段に対し情報登録が確実に行われたか否かを表す登録確認情報を記憶保持することを特徴とする。
【００１９】
これにより、操作者が無線タグ情報読み取り装置で情報読み取りを行ったとき、登録手段に対する登録状態も併せて管理可能となり、さらに利便性が向上する。
【００２０】
第７の発明は、上記第１乃至第６発明のいずれかにおいて、前記ＩＣ回路部は、無線タグ情報読み取り装置による読み取り後、前記無線タグ情報読み取り装置において実行する処理メニューを指示するための指示情報を記憶保持することを特徴とする。
【００２１】
読み取り後に実行すべき処理メニューの指示情報がＩＣ回路部に記憶保持されていることにより、操作者が無線タグ情報読み取り装置で情報読み取りを行ったとき、取得された指示情報に沿った処理メニューが自動的に実行される。この結果、管理対象物品の状態に対応した適正な処理を実行することができる。
【００２２】
第８の発明は、上記第７発明において、前記ＩＣ回路部は、一連の処理手順からなる前記処理メニューを指示するための複数の指示情報を、処理順序に沿うように互いに関連づけて記憶保持することを特徴とする。
【００２３】
これにより、操作者が無線タグ情報読み取り装置で情報読み取りを行ったとき、複数の指示情報を所定の処理順序で円滑に実行し、一連の処理手順を完了することが可能となる。
【００２４】
第９の発明は、上記第８発明において、前記ＩＣ回路部は、前記複数の指示情報を、対応する複数の格納領域にそれぞれ記憶保持し、各指示情報が、前記一連の処理手順に沿った次の処理手順を表す前記指示情報の格納領域へのリンク指標を含むように、記憶保持することを特徴とする。
【００２５】
これにより、操作者が無線タグ情報読み取り装置で情報読み取りを行ったとき、リンク指標をたどりながら各格納領域の指示情報を順次読み取ることができる。この結果、複数の指示情報を所定の処理順序で円滑に実行し、一連の処理手順を完了することができる。
【００２６】
第１０の発明は、上記第９発明において、前記ＩＣ回路部は、操作者の操作に応じ切り替え指定される互いに異なる２つの前記リンク指標を含む前記指示情報を記憶保持することを特徴とする。
【００２７】
操作者の操作に応じて異なるリンク指標へ移行することにより、操作者が無線タグ情報読み取り装置で情報読み取りを行ったとき、操作の内容に応じ異なる処理を実行することが可能となる。
【００２８】
第１１の発明は、上記第１乃至第１０発明のいずれかにおいて、前記ＩＣ回路部は、前記無線タグ情報読み取り装置が読み取り結果に応じて実行する表示メニューを指示するための表示処理情報を含む前記指示情報を記憶保持することを特徴とする。
【００２９】
これにより、操作者が無線タグ情報読み取り装置で情報読み取りを行ったとき、取得された表示処理情報に沿った表示メニューが自動的に実行される。この結果、管理対象物品の状態に対応した適正な表示メニューを表示することができる。
【００３０】
上記目的を達成するために、第１２の発明は、管理対象物品に関連して取り扱われ、情報を記憶するＩＣ回路部と情報を送受信するタグ側アンテナとを有し、前記ＩＣ回路部に、タグ識別情報と、前記管理対象物品の対象物情報と、管理対象物品の管理状態情報と、無線タグ情報読み取り装置において実行する処理メニューを指示するための指示情報とを記憶した物品用無線タグ回路素子と無線通信により情報の送受信を行うための通信手段と、前記通信手段を介し前記物品用無線タグ回路素子の前記ＩＣ回路部に記憶された情報を取得するための情報取得手段と、前記情報取得手段での情報取得結果に応じて、前記処理メニューを実行するメニュー処理手段とを有することを特徴とする。
【００３１】
本願第１２発明においては、物品用無線タグ回路素子のＩＣ回路部に、タグ識別情報、管理対象物品の対象物情報に加え、管理対象物品の管理状態情報が記憶保持されている。また、読み取り後に実行すべき処理メニューの指示情報もＩＣ回路部に記憶保持されている。これにより、無線タグ情報読み取り装置の情報取得手段で、通信手段を介した情報送受信により上記タグ識別情報、対象物情報、管理状態情報、指示情報が取得される。そして、メニュー処理手段によって上記指示情報で指示された処理メニューが実行される。
【００３２】
以上のように、本願第１２発明では、物品用無線タグ回路素子に予め物品の管理状態情報が記憶され、これを情報取得手段で取得する。これにより、操作者が管理対象物品に関連して取り扱われる物品用無線タグ回路素子に対し情報読み取りを行うだけで、(さらにデータベースへのアクセス等を行わなくても)当該管理対象物品の状態を容易に知ることができる。さらに、物品用無線タグ回路素子には予め指示情報が記憶されており、これを情報取得手段で取得する。これにより、無線タグ情報読み取り装置では、上記情報読み取りによって取得された指示情報に沿った処理メニューが自動的に実行される。この結果、上記管理対象物品の状態に対応した適正な処理を実行することができる。
【００３３】
第１３の発明は、上記第１２発明において、前記通信手段は、前記ＩＣ回路部に、前記タグ識別情報と、前記対象物情報と、前記管理状態情報と、無線タグ情報読み取り装置が読み取り結果に応じて実行する表示メニューを指示するための表示処理情報を含む前記指示情報とを記憶した物品用無線タグ回路素子と情報の送受信を行い、前記メニュー処理手段は、前記情報取得手段での情報取得結果に応じて、前記表示メニューを表示する表示信号を出力する表示処理手段を含むことを特徴とする。
【００３４】
これにより、情報読み取りによって取得された表示処理情報に沿った表示メニューが自動的に実行される。この結果、管理対象物品の状態に対応した適正な表示メニューを表示することができる。
【００３５】
第１４の発明は、上記第１３発明において、前記通信手段は、貸借可能な前記管理対象物品が、受け入れ後の未登録状態、登録後の未貸出状態、及び貸出後の未返却状態のいずれであるかを表す貸借情報を、前記管理状態情報として前記ＩＣ回路部に記憶保持した前記物品用無線タグ回路素子と情報の送受信を行う
ことを特徴とする。
【００３６】
これにより、管理対象物品が、未登録状態、未貸出状態、未返却状態のいずれであるかに対応した表示を行うことが可能となる。
【００３７】
第１５の発明は、上記第１４発明において、前記通信手段は、前記管理対象物品を貸借する貸借者に所持され、情報を記憶するＩＣ回路部と情報を送受信するタグ側アンテナとを有し、前記ＩＣ回路部に、タグ識別情報と、前記貸借者の人物情報を記憶保持した人物用無線タグ回路素子と情報の送受信を行い、前記情報取得手段は、前記通信手段を介し、前記物品用無線タグ回路素子の前記ＩＣ回路部及び前記人物用無線タグ回路素子の前記ＩＣ回路部に記憶された情報を取得し、前記表示処理手段は、前記情報取得手段による前記物品用無線タグ回路素子及び前記人物用無線タグ回路素子からの情報取得結果に応じて、前記表示する表示メニューを決定することを特徴とする。
【００３８】
これにより、管理対象物品が、未登録状態、未貸出状態、未返却状態のいずれであるかの情報と、さらに人物用無線タグ回路素子で認識される人物情報との組み合わせに応じ、多様な表示を切り替えて実行することが可能となる。この結果、種々様々のニーズに対応した多様な利用態様に対応することが可能となり、利便性を向上することができる。
【００３９】
第１６の発明は、上記第１５発明において、前記情報取得手段による前記物品用無線タグ回路素子及び前記人物用無線タグ回路素子からの情報取得結果に基づき、前記管理対象物品が前記未貸出状態であり、前記貸借者の人物情報が正常に取得された場合には、前記表示処理手段は、前記管理対象物品の貸出処理を行うための前記表示メニューを表示するための前記表示信号を出力し、前記管理対象物品が前記未返却状態であり、前記貸借者の人物情報が前記管理対象物品を借り受けた人物と合致した場合には、前記表示処理手段は、前記管理対象物品の返却処理を行うための前記表示メニューを表示するための前記表示信号を出力することを特徴とする。
【００４０】
未貸出状態の管理対象物品に対し、貸借者の人物情報が正常に取得できた場合には、その人物情報及び対応するタグ識別情報と、管理対象物品の対象物情報及び対応するタグ識別情報とを関連づけ、正しく貸出管理を行うことが可能である。したがって、表示処理手段により貸出処理のための表示メニューを表示することで、円滑かつ容易に貸出処理を実行することができる。
【００４１】
未返却状態（貸出状態）の管理対象物品を借り受けた人物が返しにきて、その人物情報が貸出時のものと合致した場合には、その人物情報及び対応するタグ識別情報と、管理対象物品の対象物情報及び対応するタグ識別情報とを関連づけ、正しく返却管理を行うことが可能である。したがって、表示処理手段により返却処理のための表示メニューを表示することで、円滑かつ容易に返却処理を実行することができる。
【発明の効果】
【００４２】
本発明によれば、管理対象物品の管理状態を容易に知ることができる。
【発明を実施するための最良の形態】
【００４３】
以下、本発明の一実施の形態を図面を参照しつつ説明する。本実施形態は、本発明の無線タグ及び無線タグ情報読み取り装置を例えば図書館における書籍の貸し出し管理システムに適用した例である。
【００４４】
本実施形態の図書館においては、利用者は図書館に入室する際に利用者固有の識別情報（ＵＩＤ）を記憶保持する無線タグ回路素子Ｔo（人物用無線タグ回路素子）を有するタグラベルＴMを身に着ける。このタグラベルＴMのＵＩＤと利用者の人物情報（氏名、連絡先等）とは、例えば利用者が図書館に入室する際に関連付けられてデータベースに登録される。これにより、スキャナがタグラベルＴMのＵＩＤによって上記データベースに問い合わせを行うことで、利用者の人物情報を読み込めるようになっている。なお、上記タグラベルＴMに備えられる無線タグ回路素子Ｔoに人物情報を直接記憶させるようにしてもよい。
【００４５】
また図書館内の各書籍Ｂには、当該書籍固有の属性情報（書籍タイトルや著者名等）が書き込まれた無線タグ回路素子Ｔo（物品用無線タグ回路素子）を有するタグラベルＴB（無線タグ）が設けられている。このタグラベルＴBの無線タグ回路素子Ｔoは、管理対象物品である書籍Ｂの管理状態（貸借状態）を管理するための管理状態情報（貸借情報）を有しており、本実施形態では、書籍Ｂが図書館に受け入れ後データベースＤＢ（後述）に登録されていない状態（以下「未登録状態」）と、データベースＤＢに登録後利用者への貸出を待っている状態（以下「未貸出状態」）と、利用者への貸出後返却を待っている状態（以下「未返却状態」）との各状態において、上記管理状態情報が各状態に対応する情報に更新されるようになっている。これら管理状態情報の更新は、リーダ／ライタの機能を有するスキャナ２００によって行われる。
【００４６】
図１は、上記図書館において、人物Ｍ（この場合は図書館員）が書籍ＢをデータベースＤＢに登録する際、又は人物Ｍ（この場合は図書館の利用者）が書籍Ｂを借りる（又は返却する）ときの様子を示す図である。なお、この図では人物ＭがタグラベルＴMを身に着けた場合を示しているが、書籍ＢをデータベースＤＢに登録する際には必ずしも人物Ｍ（この場合は図書館員）はタグラベルＴMを身に着ける必要はない。
【００４７】
この図１において、スキャナ２００（無線タグ情報読み取り装置）は図書館の受付等に設置された定置型（又は携帯型でもよい）のスキャナであり、無線タグ回路素子Ｔoより読み込んだ情報の内容や各種メニュー画面等の表示を行う表示部２０５と、人物Ｍが操作入力を行うための操作部２０４とを備えている。人物Ｍ（この場合は図書館員）が書籍ＢをデータベースＤＢに登録する際には、登録したい書籍Ｂをスキャナ２００に近づけることにより、スキャナ２００がタグラベルＴBに備えられる無線タグ回路素子Ｔoの無線タグ情報を読み取り、登録処理（後述の図７参照）を開始する。この登録処理においては、読み取った無線タグ情報のうちのＵＩＤ及び書籍Ｂの属性情報が、通信回線ＮＷを経てサーバ３００のデータベースＤＢに送られ登録される。またこのとき、無線タグ回路素子Ｔo中の管理状態情報が、未登録状態に対応する情報から未貸出状態に対応する情報に更新される。
【００４８】
一方、人物Ｍ（この場合は図書館利用者）が書籍Ｂを借りる際には、上記と同様に書籍Ｂをスキャナ２００に近づけることにより、スキャナ２００がタグラベルＴBに備えられる無線タグ回路素子Ｔoの無線タグ情報を読み取り、貸出処理（後述の図８参照）を開始する。この貸出処理においては、スキャナ２００により人物ＭのタグラベルＴMに備えられる無線タグ回路素子Ｔoの無線タグ情報についても読み取りが行われ、人物Ｍと書籍ＢのＵＩＤが関連付けられてデータベースＤＢに送られ登録される。またこのとき、無線タグ回路素子Ｔo中の管理状態情報が、未貸出状態に対応する情報から未返却状態に対応する情報に更新される。
【００４９】
さらに、人物Ｍ（この場合は図書館利用者）が書籍Ｂを返却する際には、上記と同様に書籍Ｂをスキャナ２００に近づけることにより、スキャナ２００がタグラベルＴBに備えられる無線タグ回路素子Ｔoの無線タグ情報を読み取り、返却処理（後述の図９参照）を開始する。この返却処理においては、スキャナ２００により人物ＭのタグラベルＴMに備えられる無線タグ回路素子Ｔoの無線タグ情報についても読み取りが行われ、貸出人物と返却人物との照合等が行われる。またこのとき、無線タグ回路素子Ｔo中の管理状態情報が、未返却状態に対応する情報から再び未貸出状態に対応する情報に更新される。
【００５０】
図２は、本実施形態のスキャナ２００を有する無線タグ情報通信システム１の全体構成を表すシステム構成図である。なお、図中に示す矢印は信号の流れの一例を示すものであり、信号の流れ方向を限定するものではない。
【００５１】
図２において、無線タグ情報通信システム１は、タグラベルＴB，ＴMに備えられた無線タグ回路素子Ｔoの情報にアクセスするスキャナ２００と、このスキャナ２００と無線（あるいは有線でもよい）による通信回線ＮＷを介し接続されデータベースＤＢを備えたサーバ３００とを有している。
【００５２】
スキャナ２００は、タグラベルＴB及びタグラベルＴMに備えられる無線タグ回路素子Ｔoのアンテナ１５１との間で無線通信により信号の授受を行うアンテナ２１０（通信手段）と、このアンテナ２１０を介し上記無線タグ回路素子ＴoのＩＣ回路部１５０へ無線通信によりアクセスし、その無線タグ回路素子Ｔoから読み出された信号を処理する高周波回路２０１と、通信回線ＮＷを介しサーバ３００のデータベースＤＢと通信を行うためのインタフェース制御部２０３と、操作入力を行うための操作部２０４と、各種メニュー画面等の表示を行う表示部２０５と、上記高周波回路２０１、インターフェース制御部２０３、操作部２０４及び表示部２０５と接続されそれらの制御を行う制御回路２０２とを有する。
【００５３】
図３は、上記制御回路２０２の詳細機能を表す機能ブロック図である。
【００５４】
図３において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ等から構成され、ＲＡＭ２０２Ｃの一時記憶機能を利用しつつＲＯＭ２０２Ｂに予め記憶されたプログラムに従って所定の処理手順（例えば後述の図６〜図９に示す処理手順）を行うようになっている。またこの制御回路２０２は、インターフェース制御部２０３を介し通信回線ＮＷ（前述の図１及び図２参照）に接続されており、この通信回線２０６に接続された前述のサーバ３００や、さらに他の端末、コンピュータ、及びサーバ等との間で情報のやりとりが可能となっている。また、不揮発性メモリ（Ｆｌａｓｈ ＲＯＭ）２０２Ｅを備えていてもよい。なお、前述のサーバ３００についてもＣＰＵ、ＲＯＭ、及びＲＡＭ等を備えている。
【００５５】
図４は、上記タグラベルＴM及びタグラベルＴBに備えられた無線タグ回路素子Ｔoの機能的構成の一例を表すブロック図である。なお、図中に示す矢印は信号の流れの一例を示すものであり、信号の流れ方向を限定するものではない。
【００５６】
図４において、無線タグ回路素子Ｔoは、上記スキャナ２００のアンテナ１０と短波帯(例えば13.56MHz)、ＵＨＦ帯、又はマイクロ波帯等の高周波を用いて非接触で信号の送受信を行うアンテナ１５１(タグ側アンテナ)と、このアンテナ１５１に接続されたＩＣ回路部１５０とを有している。
【００５７】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００５８】
変復調部１５６は、アンテナ１５１により受信された上記スキャナ２００のアンテナ１０からの通信信号の復調を行うと共に、上記制御部１５７からの返信信号に基づき、上記アンテナ１０より受信された搬送波を変調反射する。
【００５９】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６０】
図５は、上記タグラベルＴBの無線タグ回路素子ＴoのＩＣ回路部１５０の上記メモリ部１５５のデータ構成の一例を表す図である。
【００６１】
この図５に示す例では、無線タグ回路素子ＴoのＩＣ回路部１５０の上記メモリ部１５５に記憶されるデータは、タグ固有の識別情報であるＵＩＤ（タグ識別情報）と、書籍のタイトルやその著者名等を有する属性情報（対象物情報）と、書籍Ｂの管理状態（本実施形態では前述した未登録状態、未貸出状態、及び未返却状態）を管理するための管理状態情報と、その他の情報とを有している。その他の情報は、後述する貸出処理（図８参照）において書き込まれる人物Ｍの無線タグ回路素子ＴoのＵＩＤ及び書籍Ｂの返却予定日情報（貸借態様情報）等から構成されている。
【００６２】
図６は、上記制御回路２０２が実行する制御手順を表すフローチャートである。なおこのフローは、スキャナ２００の通信範囲内において新規に書籍Ｂ（タグラベルＴB）が検出された際に開始される。
【００６３】
まずステップＳ１０では、高周波回路２０１に制御信号を送信し、書籍ＢのタグラベルＴBに備えられる無線タグ回路素子ＴoのＩＣ回路部１５０から無線タグ情報の読み取りを行うための読み取り信号を送信アンテナ２１０を介して送信させる。なお、この読み取り信号はスキャナ２００の周囲（例えば前方）に向かって送信される。そして、上記読み取り信号に対応し、書籍ＢのタグラベルＴBに備えられる無線タグ回路素子Ｔoから受信されたリプライ信号に基づき無線タグ情報を取得する。
【００６４】
次のステップＳ２０では、上記ステップＳ１０で取得した無線タグ情報中の管理状態情報に基づき、書籍Ｂの管理状態を判定する。書籍Ｂの管理状態が前述した未登録状態である場合には、ステップＳ１００に移り、書籍Ｂの属性情報をデータベースＤＢに登録する登録処理を行う（詳細は後述の図７参照）。また、書籍Ｂの管理状態が前述した未貸出状態である場合には、ステップＳ２００に移り、書籍Ｂの貸出処理を行う（詳細は後述の図８参照）。また、書籍Ｂの管理状態が前述した未返却状態である場合には、ステップＳ３００に移り、書籍Ｂの返却処理を行う（詳細は後述の図９参照）。その後、本フローを終了する。
【００６５】
図７は上記ステップＳ１００の詳細手順を表すフローチャートである。
【００６６】
まずステップＳ１１０において、表示部２０５に制御信号を出力し、書籍Ｂが未登録である旨を示す表示（例えば「この本は未登録です」）を表示部２０５に行わせる。
【００６７】
次のステップＳ１２０では、表示部２０５に制御信号を出力し、登録処理の開始を示す表示（例えば「登録処理」）を表示部２０５に行わせる。
【００６８】
次のステップＳ１３０では、表示部２０５に制御信号を出力し、書籍Ｂをサーバ３００のデータベースＤＢに登録するか否かを人物Ｍ（この場合は図書館員）に対し確認する表示（例えば「登録しますか？Ｙｅｓ／Ｎｏ」）を表示部２０５に行わせる。
【００６９】
次のステップＳ１４０では、人物Ｍ（この場合は図書館員）が書籍Ｂの登録指示を入力したか否かを判定する。この判定は、操作部２０４から登録指示に対応する指示信号が入力されたか否かを検出することにより行う。登録指示が入力されていない場合には、後述のステップＳ１８０に移る。一方、登録指示が入力されている場合には、判定が満たされて次のステップＳ１５０に移る。
【００７０】
次のステップＳ１５０では、先のステップＳ１０（図６参照）で取得した無線タグ情報中のＵＩＤ及び書籍Ｂの属性情報を、通信回線ＮＷを介してサーバ３００のデータベースＤＢに送信し登録する。
【００７１】
次のステップＳ１６０では、表示部２０５に制御信号を出力し、書籍Ｂの登録が完了した旨を表す表示（例えば「この本を登録しました。属性情報は・・・」）を表示部２０５に行わせる。
【００７２】
次のステップＳ１７０では、高周波回路２０１に制御信号を送信し、書籍ＢのタグラベルＴBに備えられる無線タグ回路素子Ｔoに記憶される管理状態情報を消去するとともに新たな管理状態情報を書き込む（すなわち管理状態情報を更新する）ための書き込み信号を送信アンテナ２１０を介して送信させる。これにより、無線タグ回路素子Ｔo中の管理状態情報は、未登録状態に対応する情報から未貸出状態に対応する情報に更新される。
【００７３】
次のステップＳ１８０では、表示部２０５に制御信号を出力し、書籍Ｂの登録処理を終了する旨を表す表示（例えば「登録処理を終了します」）を表示部２０５に行わせる。そして、本ルーチンを終了する。
【００７４】
なお、上記フローは本発明を上記フローに示す手順に限定するものではなく、例えば上記ステップＳ１６０とステップＳ１７０とを入れ替える等、発明の趣旨及び技術的思想を逸脱しない範囲内で手順を変更してもよい。
【００７５】
図８は上記ステップＳ２００の詳細手順を表すフローチャートである。
【００７６】
まずステップＳ２０５において、表示部２０５に制御信号を出力し、書籍Ｂが登録済みである旨を示す表示（例えば「この本は登録済みです。属性情報は・・・」）を表示部２０５に行わせる。なお、属性情報は前述のステップＳ１０（図６参照）で取得している。
【００７７】
次のステップＳ２１０では、表示部２０５に制御信号を出力し、貸出処理の開始を示す表示（例えば「貸出処理」）を表示部２０５に行わせる。
【００７８】
次のステップＳ２１５では、表示部２０５に制御信号を出力し、書籍Ｂを借りるか否かを人物Ｍ（この場合は図書館の利用者）に対し確認する表示（例えば「借りますか？Ｙｅｓ／Ｎｏ」）を表示部２０５に行わせる。
【００７９】
次のステップＳ２２０では、人物Ｍ（この場合は利用者）が書籍Ｂを借りる旨の指示入力を行ったか否かを判定する。この判定は、操作部２０４から借りる旨の指示信号が入力されたか否かを検出することにより行う。指示入力されていない場合には、後述のステップＳ２６５に移る。一方、指示入力されている場合には、判定が満たされて次のステップＳ２２５に移る。
【００８０】
ステップＳ２２５では、表示部２０５に制御信号を出力し、書籍Ｂの借り手である人物Ｍが身に着けているタグラベルＴMの無線タグ回路素子Ｔoに記憶された無線タグ情報を読み取ることを示す表示（例えば「借り手のタグを読みます」）を表示部２０５に行わせる。これにより、人物Ｍに対し身に着けたタグラベルＴMをスキャナ２００に近づけるように促す。
【００８１】
ステップＳ２３０では、高周波回路２０１に制御信号を送信し、人物ＭのタグラベルＴMに備えられる無線タグ回路素子ＴoのＩＣ回路部１５０から無線タグ情報の読み取りを行うための読み取り信号を送信アンテナ２１０を介して送信させる。これにより、上記読み取り信号に対応し、人物ＭのタグラベルＴMに備えられる無線タグ回路素子Ｔoから無線タグ情報が受信される。
【００８２】
次のステップＳ２３５では、高周波回路２０１に制御信号を送信し、書籍ＢのタグラベルＴBに備えられる無線タグ回路素子ＴoのＩＣ回路部１５０に、上記ステップＳ２３０で受信した無線タグ情報中のＵＩＤを書き込むための書き込み信号を送信アンテナ２１０を介して送信させる。これにより、書籍Ｂの無線タグ回路素子Ｔoに人物Ｍの無線タグ回路素子ＴoのＵＩＤが書き込まれる。
【００８３】
次のステップＳ２４０では、上記ステップＳ２３０で受信した人物ＭのＵＩＤと先のステップＳ１０（図６参照）で受信した書籍ＢのＵＩＤとを、通信回線ＮＷを介してサーバ３００のデータベースＤＢに送信し、人物Ｍに対し書籍Ｂを貸し出した旨を登録する。
【００８４】
次のステップＳ２４５では、スキャナ２００中にある図示しない時計手段から日付（本貸出処理を行っている日付）情報を取得し、この日付情報を通信回線ＮＷを介してサーバ３００のデータベースＤＢに送信する。
【００８５】
次のステップＳ２５０では、上記日付情報に対応してサーバ３００のデータベースＤＢから送信される返却予定日情報を受信する。なお、サーバ３００は受信した日付に対して予め設定された日数を加えて返却予定日を計算する機能を有している。
【００８６】
次のステップＳ２５５では、高周波回路２０１に制御信号を送信し、書籍ＢのタグラベルＴBに備えられる無線タグ回路素子ＴoのＩＣ回路部１５０に、上記ステップＳ２５０で受信した返却予定日情報を送信アンテナ２１０を介して送信させる。これにより、書籍Ｂの無線タグ回路素子Ｔoに書籍Ｂの返却予定日が書き込まれる。
【００８７】
次のステップＳ２６０では、表示部２０５に制御信号を出力し、書籍Ｂの貸し出しが完了した旨を表す表示（例えば「この本を貸し出しました。返却予定日は・・・」）を表示部２０５に行わせる。
【００８８】
次のステップＳ２６５では、高周波回路２０１に制御信号を送信し、書籍ＢのタグラベルＴBに備えられる無線タグ回路素子Ｔoに記憶される管理状態情報を消去するとともに新たな管理状態情報を書き込む（すなわち管理状態情報を更新する）ための書き込み信号を送信アンテナ２１０を介して送信させる。これにより、無線タグ回路素子Ｔo中の管理状態情報は、未貸出状態に対応する情報から未返却状態に対応する情報に更新される。
【００８９】
次のステップＳ２７０では、表示部２０５に制御信号を出力し、書籍Ｂの貸出処理を終了する旨を表す表示（例えば「貸出処理を終了します」）を表示部２０５に行わせる。そして、本ルーチンを終了する。
【００９０】
なお、上記フローは本発明を上記フローに示す手順に限定するものではなく、例えば上記ステップＳ２３５とステップＳ２４０とを入れ替える等、発明の趣旨及び技術的思想を逸脱しない範囲内で手順を変更してもよい。
【００９１】
図９は上記ステップＳ３００の詳細手順を表すフローチャートである。
【００９２】
まずステップＳ３０５において、表示部２０５に制御信号を出力し、書籍Ｂが貸出済みである旨を示す表示（例えば「この本は貸し出し中です。返却予定日は・・・」）を表示部２０５に行わせる。なお、返却予定日情報は前述のステップＳ１０（図６参照）で取得している。
【００９３】
次のステップＳ３１０では、表示部２０５に制御信号を出力し、返却処理の開始を示す表示（例えば「返却処理」）を表示部２０５に行わせる。
【００９４】
次のステップＳ３１５では、表示部２０５に制御信号を出力し、書籍Ｂを返却するか否かを人物Ｍ（この場合は図書館の利用者）に対し確認する表示（例えば「返却しますか？Ｙｅｓ／Ｎｏ」）を表示部２０５に行わせる。
【００９５】
次のステップＳ３２０では、人物Ｍ（この場合は利用者）が書籍Ｂを返却する旨の指示入力を行ったか否かを判定する。この判定は、操作部２０４から返却する旨の指示信号が入力されたか否かを検出することにより行う。指示入力されていない場合には、後述のステップＳ３６０に移る。一方、指示入力されている場合には、判定が満たされて次のステップＳ３２５に移る。
【００９６】
ステップＳ３２５では、表示部２０５に制御信号を出力し、書籍Ｂの借り手である人物Ｍが身に着けているタグラベルＴMの無線タグ回路素子Ｔoに記憶された無線タグ情報を読み取ることを示す表示（例えば「借り手のタグを読みます」）を表示部２０５に行わせる。これにより、人物Ｍに対し身に着けたタグラベルＴMをスキャナ２００に近づけるように促す。
【００９７】
ステップＳ３３０では、高周波回路２０１に制御信号を送信し、人物ＭのタグラベルＴMに備えられる無線タグ回路素子ＴoのＩＣ回路部１５０から無線タグ情報の読み取りを行うための読み取り信号を送信アンテナ２１０を介して送信させる。これにより、上記読み取り信号に対応し、人物ＭのタグラベルＴMに備えられる無線タグ回路素子Ｔoから無線タグ情報が受信される。
【００９８】
ステップＳ３３５では、上記ステップＳ３３０で受信した無線タグ情報中のＵＩＤと、前述のステップＳ１０（図６参照）で取得した書籍Ｂの無線タグ回路素子Ｔoの無線タグ情報中の人物ＵＩＤ（図８中ステップＳ２３５参照）とを比較し、両者が一致するか否かを判定する。一致しない場合には、ステップＳ３４０に移り、表示部２０５に制御信号を出力し、書籍Ｂの貸し出しを行った人物と返却する人物とが一致しない旨を示す表示（例えば「借り手が一致しません」）を表示部２０５に行わせる。そして、後述のステップＳ３６０に移る。一方、一致する場合には、次のステップＳ３４５に移る。
【００９９】
ステップＳ３４５では、先のステップＳ１０で受信した書籍ＢのＵＩＤを、通信回線ＮＷを介してサーバ３００のデータベースＤＢに送信し、書籍Ｂが返却された旨を登録する。
【０１００】
次のステップＳ３５０では、表示部２０５に制御信号を出力し、書籍Ｂの返却が完了した旨を表す表示（例えば「この本を返却しました」）を表示部２０５に行わせる。
【０１０１】
次のステップＳ３５５では、高周波回路２０１に制御信号を送信し、書籍ＢのタグラベルＴBに備えられる無線タグ回路素子Ｔoに記憶される管理状態情報を消去するとともに新たな管理状態情報を書き込む（すなわち管理状態情報を更新する）ための書き込み信号を送信アンテナ２１０を介して送信させる。これにより、無線タグ回路素子Ｔo中の管理状態情報は、未返却状態に対応する情報から再び未貸出状態に対応する情報に更新される。
【０１０２】
次のステップＳ３６０では、表示部２０５に制御信号を出力し、書籍Ｂの返却処理を終了する旨を表す表示（例えば「返却処理を終了します」）を表示部２０５に行わせる。そして、本ルーチンを終了する。
【０１０３】
なお、上記フローは本発明を上記フローに示す手順に限定するものではなく、例えば上記ステップＳ３５０とステップＳ３５５とを入れ替える等、発明の趣旨及び技術的思想を逸脱しない範囲内で手順を変更してもよい。
【０１０４】
上記実施形態においては、管理対象である書籍ＢのタグラベルＴBの無線タグ回路素子ＴoのＩＣ回路部１５０に、ＵＩＤ、書籍Ｂの属性情報に加え、書籍Ｂの貸借状態を表す管理状態情報が記憶保持されている。これにより、人物Ｍがスキャナ２００で情報読み取りを行い上記管理状態情報を取得するだけで、さらに外部サーバのデータベースへのアクセス等を行わなくても、当該書籍Ｂの貸借状態を容易に知ることができる。
【０１０５】
また、本実施形態では特に、書籍ＢのタグラベルＴBの無線タグ回路素子ＴoのＩＣ回路部１５０に、書籍Ｂを借受ける人物Ｍの所持するタグラベルＴMに備えられる無線タグ回路素子ＴoのＵＩＤを記憶させる。これにより、人物Ｍが書籍Ｂを返却する際にスキャナ２００で情報読み取りを行ったとき、書籍Ｂの無線タグ回路素子Ｔoから読み取った人物ＭのＵＩＤと、人物Ｍが所持する無線タグ回路素子ＴoのＵＩＤとの整合性を判定することができる。この結果、整合する場合にのみ書籍Ｂの返却処理を行う等、判定結果に基づく種々の処理を行うことができ、利便性を向上することができる。
【０１０６】
また、本実施形態では特に、書籍ＢのタグラベルＴBの無線タグ回路素子ＴoのＩＣ回路部１５０に返却予定日情報を記憶させる。これにより、書籍Ｂを借り受けた人物Ｍがスキャナ２００で情報読み取りを行ったとき、返却予定日を表示させる等の貸出期限に関する詳細な貸出管理を併せて行うことができ、さらに利便性が向上する。
【０１０７】
なお、本発明は、上記実施形態に限られず、その趣旨と技術思想の範囲を逸脱しない範囲で更に種々の変形が可能である。以下その変形例を説明する。
【０１０８】
（１）タグ側にスキャナの処理手順に関する情報を記憶させる場合
上記実施形態においては、スキャナ２００の制御回路２０２が、ＲＡＭ２０２Ｃの一時記憶機能を利用しつつＲＯＭ２０２Ｂに予め記憶されたプログラムに従って前述の図６〜図９に示す処理手順を行うように構成したが、これに限られず、無線タグ回路素子Ｔo側にスキャナ２００の処理手順を指示する指示情報を記憶させておき、スキャナ２００が無線通信により読み取ったそれらの指示情報に基づいて処理手順を行うようにしてもよい。
【０１０９】
本変形例における無線タグ情報通信システム１及びスキャナ２００等の構成は、前述の実施形態の図１〜図３に示す構成と同様であるので説明を省略する。
【０１１０】
図１０は、本変形例におけるスキャナ２００の制御回路２０２’（図示せず）が実行する制御手順を表すフローチャートである。なおこのフローは、スキャナ２００の通信範囲内において新規に書籍Ｂ（タグラベルＴB）が検出された際に開始される。
【０１１１】
まずステップＳ４１０では、高周波回路２０１に制御信号を送信し、書籍ＢのタグラベルＴBに備えられる無線タグ回路素子ＴoのＩＣ回路部１５０から無線タグ情報の読み取りを行うための読み取り信号を送信アンテナ２１０を介して送信さし、この読み取り信号に対応して書籍ＢのタグラベルＴBに備えられる無線タグ回路素子Ｔoから受信されたリプライ信号に基づき無線タグ情報を取得する。なお、無線タグ回路素子ＴoのＩＣ回路部１５０のメモリ部１５５は、一連の処理手順からなる処理メニューが複数のページアドレス（格納領域）に分けて格納されるように構成されているが（後述の図１１参照）、本ステップでは各ページアドレスごとに処理手順に関する情報を取得するようになっている。また、最初の情報読み取り時には０ページの情報を取得する。
【０１１２】
次のステップＳ４２０では、上記ステップＳ４１０で取得した無線タグ情報中の命令情報（後述の図１１参照）にしたがって命令を実行する。なお、上記ステップＳ４１０で０ページの情報を取得した際には、後述の図１１に示すように命令情報がないが、データ情報（この場合にはＵＩＤ）の取得を行うようになっている。
【０１１３】
次のステップＳ４３０では、上記ステップＳ４１０で取得した無線タグ情報中に指標情報（後述の図１１参照）が存在するか否かを判定する。この指標情報とは、次の処理手順に関する情報が格納されたページアドレスを示す情報である。指標情報がある場合には先のステップＳ４１０に戻り、当該指標情報が示すページアドレスの無線タグ情報の読み取りを行う。一方、指標情報がない場合には、本フローを終了する。
【０１１４】
なお、上記において、制御回路２０２’によって実行されるステップＳ４１０の手順は、特許請求の範囲各項記載の通信手段を介し物品用無線タグ回路素子のＩＣ回路部に記憶された情報を取得するための情報取得手段を構成し、ステップＳ４２０の手順は、情報取得手段での情報取得結果に応じて、処理メニューを実行するメニュー処理手段を構成するとともに、情報取得手段での情報取得結果に応じて、表示メニューを表示する表示信号を出力する表示処理手段を構成する。
【０１１５】
図１１は、本変形例におけるタグラベルＴBの無線タグ回路素子ＴoのＩＣ回路部１５０のメモリ部１５５のデータ構成の一例を表す図である。
【０１１６】
この図１１において、メモリ部１５５は一連の処理手順からなる処理メニューが複数のページアドレス（格納領域）に分けて格納されるように構成されており、各ページアドレスには対応する処理手順に関する情報（指示情報）がそれぞれ格納されている。各処理手順に関する情報は、スキャナ２００に所定の命令を実行させる命令情報と、ＵＩＤ、書籍Ｂの属性データ、スキャナ２００の表示部２０５に表示させる表示データ等のデータ自体であるデータ情報と、次の処理手順に関する情報が格納されたページアドレスを示す指標情報（リンク指標）とから構成されている。
【０１１７】
以下、各ページアドレスの内容について、スキャナ２００の動作とあわせて説明する。
【０１１８】
０ページには、データ情報として書籍Ｂの無線タグ回路素子ＴoのＵＩＤ、及び指標情報として「２」が格納されている。この０ページの指標情報は書籍Ｂの管理状態（貸借状態）に応じて書き換えられるものであり、書籍Ｂが未登録状態である場合には「２」、未貸出状態である場合には「１２」、未返却状態である場合には「２７」が書き込まれる。そして、指標情報が「２」である場合には、その後スキャナ２００で２〜１１ページの処理手順から構成される「登録処理」が行われることとなる。また、指標情報が「１２」である場合には、その後スキャナ２００で１２〜２６ページの処理手順から構成される「貸出処理」が行われることとなる。さらに、指標情報が「２７」である場合には、その後スキャナ２００で２７〜３８ページの処理手順から構成される「返却処理」が行われることとなる。すなわち、この０ページの指標情報は、管理対象物品である書籍Ｂの管理状態（貸借状態）を管理するための管理状態情報（貸借情報）に相当するものである。
【０１１９】
まず、スキャナ２００によって未登録状態である書籍Ｂの無線タグ回路素子Ｔoの情報読み取りが行われた場合について説明する。この場合には、０ページの指標情報が「２」となっているため、０ページの次に２ページの処理手順に関する情報の読み取りが行われる。
【０１２０】
２ページには、命令情報として「ＤＤ」、データ情報として「この本は未登録です」の表示データ、及び指標情報として「３」が格納されている。上記命令情報「ＤＤ」はスキャナ２００にデータ情報を表示するように命令する情報であり、これを受けたスキャナ２００の制御回路２０２’は表示部２０５に表示信号を出力して上記表示データ「この本は未登録です」の表示を行わせる。そして、指標情報が「３」となっているため次に３ページの処理手順に関する情報の読み取りが行われる。
【０１２１】
３ページには、命令情報として「ＤＤ」、データ情報として「登録処理」の表示データ、及び指標情報として「４」が格納されている。上記命令情報「ＤＤ」を受けたスキャナ２００の制御回路２０２’は表示部２０５に上記表示データ「登録処理」の表示を行わせる。そして、指標情報が「４」となっているため次に４ページの処理手順に関する情報の読み取りが行われる。
【０１２２】
４ページには、命令情報として「ＤＱ」、データ情報として「登録しますか？Ｙｅｓ／Ｎｏ」の表示データ、及び指標情報として「５」及び「１１」が格納されている。上記命令情報「ＤＱ」はスキャナ２００にデータ情報を表示してＹｅｓ／Ｎｏを問うように命令する情報であり、これを受けたスキャナ２００の制御回路２０２’は表示部２０５に上記表示データ「登録しますか？Ｙｅｓ／Ｎｏ」の表示を行わせ、人物Ｍによる登録指示入力の有無の判定を行う。そして、Ｙｅｓ（登録する）の指示入力があった場合には指標情報が「５」が選択され、次に５ページの処理手順に関する情報の読み取りが行われる。一方、Ｎｏ（登録しない）の指示入力があった場合には指標情報が「１１」が選択され、後述する１１ページの処理手順に関する情報の読み取りが行われる。
【０１２３】
５ページには、命令情報として「ＳＤ」、データ情報としてサーバ３００のデータベースＤＢにデータ登録を要求するための登録要求データ、及び指標情報として「６」が格納されている。上記命令情報「ＳＤ」はスキャナ２００に対しデータ情報をデータベースＤＢに送信するように命令する情報であり、これを受けたスキャナ２００の制御回路２０２’は通信回線ＮＷを介してサーバ３００のデータベースＤＢに上記登録要求データ送信する。そして、指標情報が「６」となっているため次に６ページの処理手順に関する情報の読み取りが行われる。
【０１２４】
６ページには、命令情報として「ＳＩ」、データ情報として「０」のページアドレスデータ、及び指標情報として「７」が格納されている。上記命令情報「ＳＩ」はスキャナ２００に対しデータ情報に示すページアドレスのデータをデータベースＤＢに送信するように命令する情報であり、これを受けたスキャナ２００の制御回路２０２’は通信回線ＮＷを介してサーバ３００のデータベースＤＢに０ページのデータ情報であるＵＩＤを送信する。そして、指標情報が「７」となっているため次に７ページの処理手順に関する情報の読み取りが行われる。
【０１２５】
７ページには、命令情報として「ＳＩ」、データ情報として「１」のページアドレスデータ、及び指標情報として「８」が格納されている。上記命令情報を受けたスキャナ２００の制御回路２０２’は通信回線ＮＷを介してサーバ３００のデータベースＤＢに１ページのデータ情報である書籍Ｂの属性情報を送信する。そして、指標情報が「８」となっているため次に８ページの処理手順に関する情報の読み取りが行われる。
【０１２６】
８ページには、命令情報として「ＤＤ」、データ情報として「この本を登録しました。属性情報は」の表示データ、及び指標情報として「９」が格納されている。上記命令情報「ＤＤ」を受けたスキャナ２００の制御回路２０２’は表示部２０５に上記表示データ「この本を登録しました。属性情報は」の表示を行わせる。そして、指標情報が「９」となっているため次に９ページの処理手順に関する情報の読み取りが行われる。
【０１２７】
９ページには、命令情報として「ＤＩ」、データ情報として「１」のページアドレスデータ、及び指標情報として「１０」が格納されている。上記命令情報「ＤＩ」はスキャナ２００にデータ情報に示すページアドレスのデータを表示するように命令する情報であり、これを受けたスキャナ２００の制御回路２０２’は表示部２０５に１ページのデータ情報である書籍Ｂの属性情報の表示を行わせる。そして、指標情報が「１０」となっているため次に１０ページの処理手順に関する情報の読み取りが行われる。
【０１２８】
１０ページには、命令情報として「ＷＺ」、データ情報として「１２」の指標データ、及び指標情報として「１１」が格納されている。上記命令情報「ＷＺ」はスキャナ２００に対し、当該無線タグ回路素子Ｔoのメモリ部１５５の０ページの指標データをデータ情報に示す値に書き換えるように命令する情報であり、これを受けたスキャナ２００の制御回路２０２’は高周波回路２０１に制御信号を送信し、書籍ＢのタグラベルＴBに備えられる無線タグ回路素子Ｔoに書き込み信号を送信アンテナ２１０を介して送信させる。これにより、０ページの指標データが「２」から「１２」に更新される。そして、指標情報が「１１」となっているため次に１１ページの処理手順に関する情報の読み取りが行われる。
【０１２９】
１１ページには、命令情報として「ＤＤ」、及びデータ情報として「登録処理を終了します」の表示データが格納されている。上記命令情報「ＤＤ」を受けたスキャナ２００の制御回路２０２’は表示部２０５に上記表示データ「登録処理を終了します」の表示を行わせる。そして、本１１ページには指標情報が格納されていないため、前述の図１０に示すステップＳ４３０の判定が満たされず、処理を終了する。
【０１３０】
以上の２〜１１ページの処理手順をスキャナ２００の制御回路２０２’が実行することにより、前述の図７に示す「登録処理」と同様の処理手順が行われることとなる。
【０１３１】
次に、スキャナ２００によって未貸出状態である書籍Ｂの無線タグ回路素子Ｔoの情報読み取りが行われた場合について説明する。この場合には、０ページの指標情報が「１２」となっているため、０ページの次に１２ページの処理手順に関する情報の読み取りが行われる。
【０１３２】
１２ページには、命令情報として「ＤＤ」、データ情報として「この本は登録済みです。属性情報は」の表示データ、及び指標情報として「１３」が格納されている。上記命令情報「ＤＤ」を受けたスキャナ２００の制御回路２０２’は表示部２０５に上記表示データ「この本は登録済みです。属性情報は」の表示を行わせる。そして、指標情報が「１３」となっているため次に１３ページの処理手順に関する情報の読み取りが行われる。
【０１３３】
１３ページには、命令情報として「ＤＩ」、データ情報として「１」のページアドレスデータ、及び指標情報として「１４」が格納されている。上記命令情報「ＤＩ」を受けたスキャナ２００の制御回路２０２’は表示部２０５に１ページのデータ情報である書籍Ｂの属性情報の表示を行わせる。そして、指標情報が「１４」となっているため次に１４ページの処理手順に関する情報の読み取りが行われる。
【０１３４】
１４ページには、命令情報として「ＤＤ」、データ情報として「貸出処理」の表示データ、及び指標情報として「１５」が格納されている。上記命令情報「ＤＤ」を受けたスキャナ２００の制御回路２０２’は表示部２０５に上記表示データ「貸出処理」の表示を行わせる。そして、指標情報が「１５」となっているため次に１５ページの処理手順に関する情報の読み取りが行われる。
【０１３５】
１５ページには、命令情報として「ＤＱ」、データ情報として「借りますか？Ｙｅｓ／Ｎｏ」の表示データ、及び指標情報として「１６」及び「２６」が格納されている。上記命令情報「ＤＱ」を受けたスキャナ２００の制御回路２０２’は表示部２０５に上記表示データ「借りますか？Ｙｅｓ／Ｎｏ」の表示を行わせ、人物Ｍによる借用指示入力の有無の判定を行う。そして、Ｙｅｓ（借りる）の指示入力があった場合には指標情報が「１６」が選択され、次に１６ページの処理手順に関する情報の読み取りが行われる。一方、Ｎｏ（借りない）の指示入力があった場合には指標情報が「２６」が選択され、後述する２６ページの処理手順に関する情報の読み取りが行われる。
【０１３６】
１６ページには、命令情報として「ＤＤ」、データ情報として「借り手のタグを読みます」の表示データ、及び指標情報として「１７」が格納されている。上記命令情報「ＤＤ」を受けたスキャナ２００の制御回路２０２’は表示部２０５に上記表示データ「借り手のタグを読みます」の表示を行わせる。そして、指標情報が「１７」となっているため次に１７ページの処理手順に関する情報の読み取りが行われる。
【０１３７】
１７ページには、命令情報として「ＲＷ」、及び指標情報として「１８」が格納されている。上記命令情報「ＲＷ」はスキャナ２００に対し、人物ＭのタグラベルＴMの無線タグ回路素子Ｔoの無線タグ情報（ＵＩＤ）を読み取り書籍Ｂの無線タグ回路素子Ｔoにデータ情報として書き込むように命令する情報であり、これを受けたスキャナ２００の制御回路２０２’は高周波回路２０１に制御信号を送信し、人物Ｍの無線タグ回路素子Ｔoに対し読み取り信号を送信してＵＩＤの読み取りを行うとともに、書籍Ｂの無線タグ回路素子Ｔoに対し書き込み信号を送信し、当該１７ページのデータ情報として上記読み取ったＵＩＤの書き込みを行う。そして、指標情報が「１８」となっているため次に１８ページの処理手順に関する情報の読み取りが行われる。
【０１３８】
１８ページには、命令情報として「ＳＤ」、データ情報としてサーバ３００のデータベースＤＢに貸出登録を要求するための貸出要求データ、及び指標情報として「１９」が格納されている。上記命令情報「ＳＤ」を受けたスキャナ２００の制御回路２０２’は通信回線ＮＷを介してサーバ３００のデータベースＤＢに上記貸出要求データ送信する。そして、指標情報が「１９」となっているため次に１９ページの処理手順に関する情報の読み取りが行われる。
【０１３９】
１９ページには、命令情報として「ＳＩ」、データ情報として「０」のページアドレスデータ、及び指標情報として「２０」が格納されている。上記命令情報「ＳＩ」を受けたスキャナ２００の制御回路２０２’は通信回線ＮＷを介してサーバ３００のデータベースＤＢに０ページのデータ情報であるＵＩＤを送信する。そして、指標情報が「２０」となっているため次に２０ページの処理手順に関する情報の読み取りが行われる。
【０１４０】
２０ページには、命令情報として「ＳＩ」、データ情報として「１７」のページアドレスデータ、及び指標情報として「２１」が格納されている。上記命令情報「ＳＩ」を受けたスキャナ２００の制御回路２０２’は通信回線ＮＷを介してサーバ３００のデータベースＤＢに１７ページのデータ情報である人物ＭのＵＩＤを送信する。そして、指標情報が「２１」となっているため次に２１ページの処理手順に関する情報の読み取りが行われる。
【０１４１】
２１ページには、命令情報として「ＲＤ」、データ情報として書籍Ｂの貸出日を表す日付データのデータベースＤＢへの送信を要求するための要求データ、及び指標情報として「２２」が格納されている。上記命令情報「ＲＤ」はスキャナ２００に対し日付データをデータベースＤＢへ送信するように命令する情報であり、これを受けたスキャナ２００の制御回路２０２’は図示しない時計手段より日付データを取得して通信回線ＮＷを介してサーバ３００のデータベースＤＢに上記日付データ送信する。そして、指標情報が「２２」となっているため次に２２ページの処理手順に関する情報の読み取りが行われる。
【０１４２】
２２ページには、命令情報として「ＳＷ」、及び指標情報として「２３」が格納されている。上記命令情報「ＳＷ」はスキャナ２００に対しデータベースＤＢから返信された返却予定日情報を書籍Ｂの無線タグ回路素子Ｔoに書き込むように命令する情報であり、これを受けたスキャナ２００の制御回路２０２’は高周波回路２０１に制御信号を送信し、書籍Ｂの無線タグ回路素子Ｔoに対し書き込み信号を送信して、当該２２ページのデータ情報として上記返却予定日情報の書き込みを行う。そして、指標情報が「２３」となっているため次に２３ページの処理手順に関する情報の読み取りが行われる。
【０１４３】
２３ページには、命令情報として「ＤＤ」、データ情報として「この本を貸し出しました。返却予定日は」の表示データ、及び指標情報として「２４」が格納されている。上記命令情報「ＤＤ」を受けたスキャナ２００の制御回路２０２’は表示部２０５に上記表示データ「この本を貸し出しました。返却予定日は」の表示を行わせる。そして、指標情報が「２４」となっているため次に２４ページの処理手順に関する情報の読み取りが行われる。
【０１４４】
２４ページには、命令情報として「ＤＩ」、データ情報として「２２」のページアドレスデータ、及び指標情報として「２５」が格納されている。上記命令情報「ＤＩ」はスキャナ２００にデータ情報に示すページアドレスのデータを表示するように命令する情報であり、これを受けたスキャナ２００の制御回路２０２’は表示部２０５に２２ページのデータ情報である書籍Ｂの返却予定日情報の表示を行わせる。そして、指標情報が「２５」となっているため次に２５ページの処理手順に関する情報の読み取りが行われる。
【０１４５】
２５ページには、命令情報として「ＷＺ」、データ情報として「２７」の指標データ、及び指標情報として「２６」が格納されている。上記命令情報「ＷＺ」はスキャナ２００に対し、当該無線タグ回路素子Ｔoのメモリ部１５５の０ページの指標データをデータ情報に示す値に書き換えるように命令する情報であり、これを受けたスキャナ２００の制御回路２０２’は高周波回路２０１に制御信号を送信し、書籍ＢのタグラベルＴBに備えられる無線タグ回路素子Ｔoに書き込み信号を送信アンテナ２１０を介して送信させる。これにより、０ページの指標データが「１２」から「２７」に更新される。そして、指標情報が「２６」となっているため次に２６ページの処理手順に関する情報の読み取りが行われる。
【０１４６】
２６ページには、命令情報として「ＤＤ」、及びデータ情報として「貸出処理を終了します」の表示データが格納されている。上記命令情報「ＤＤ」を受けたスキャナ２００の制御回路２０２’は表示部２０５に上記表示データ「貸出処理を終了します」の表示を行わせる。そして、本２６ページには指標情報が格納されていないため、前述の図１０に示すステップＳ４３０の判定が満たされず、処理を終了する。
【０１４７】
以上の１２〜２６ページの処理手順をスキャナ２００の制御回路２０２’が実行することにより、前述の図８に示す「貸出処理」と同様の処理手順が行われることとなる。
【０１４８】
次に、スキャナ２００によって未返却状態である書籍Ｂの無線タグ回路素子Ｔoの情報読み取りが行われた場合について説明する。この場合には、０ページの指標情報が「２７」となっているため、０ページの次に２７ページの処理手順に関する情報の読み取りが行われる。
【０１４９】
２７ページには、命令情報として「ＤＤ」、データ情報として「この本は貸出中です。返却予定日は」の表示データ、及び指標情報として「２８」が格納されている。上記命令情報「ＤＤ」を受けたスキャナ２００の制御回路２０２’は表示部２０５に上記表示データ「この本は貸出中です。返却予定日は」の表示を行わせる。そして、指標情報が「２８」となっているため次に２８ページの処理手順に関する情報の読み取りが行われる。
【０１５０】
２８ページには、命令情報として「ＤＩ」、データ情報として「２２」のページアドレスデータ、及び指標情報として「２９」が格納されている。上記命令情報「ＤＩ」を受けたスキャナ２００の制御回路２０２’は表示部２０５に２２ページのデータ情報である書籍Ｂの返却予定日情報の表示を行わせる。そして、指標情報が「２９」となっているため次に２９ページの処理手順に関する情報の読み取りが行われる。
【０１５１】
２９ページには、命令情報として「ＤＤ」、データ情報として「返却処理」の表示データ、及び指標情報として「３０」が格納されている。上記命令情報「ＤＤ」を受けたスキャナ２００の制御回路２０２’は表示部２０５に上記表示データ「返却処理」の表示を行わせる。そして、指標情報が「３０」となっているため次に３０ページの処理手順に関する情報の読み取りが行われる。
【０１５２】
３０ページには、命令情報として「ＤＱ」、データ情報として「返却しますか？Ｙｅｓ／Ｎｏ」の表示データ、及び指標情報として「３１」及び「３８」が格納されている。上記命令情報「ＤＱ」を受けたスキャナ２００の制御回路２０２’は表示部２０５に上記表示データ「返却しますか？Ｙｅｓ／Ｎｏ」の表示を行わせ、人物Ｍによる返却指示入力の有無の判定を行う。そして、Ｙｅｓ（返却する）の指示入力があった場合には指標情報が「３１」が選択され、次に３１ページの処理手順に関する情報の読み取りが行われる。一方、Ｎｏ（返却しない）の指示入力があった場合には指標情報が「３８」が選択され、後述する３８ページの処理手順に関する情報の読み取りが行われる。
【０１５３】
３１ページには、命令情報として「ＤＤ」、データ情報として「借り手のタグを読みます」の表示データ、及び指標情報として「３２」が格納されている。上記命令情報「ＤＤ」を受けたスキャナ２００の制御回路２０２’は表示部２０５に上記表示データ「借り手のタグを読みます」の表示を行わせる。そして、指標情報が「３２」となっているため次に３２ページの処理手順に関する情報の読み取りが行われる。
【０１５４】
３２ページには、命令情報として「ＲＣ」、データ情報として「１７」のページアドレスデータ、及び指標情報として「３３」が格納されている。上記命令情報「ＲＣ」はスキャナ２００に対し、人物Ｍの無線タグ回路素子ＴoのＵＩＤを読み取り、この読み取ったＵＩＤと本ページのデータ情報が示すページのＵＩＤとを比較照合するように命令する情報である。これを受けたスキャナ２００の制御回路２０２’は、高周波回路２０１に制御信号を送信し、人物Ｍの無線タグ回路素子Ｔoに対し読み取り信号を送信してＵＩＤの読み取りを行い、この読み取ったＵＩＤと１７ページにデータ情報として書き込まれたＵＩＤとを比較照合する。この結果、両者が一致した場合には指標情報が「３３」が選択され、次に３３ページの処理手順に関する情報の読み取りが行われる。一方、両者が一致しない場合には指標情報が「３８」が選択され、後述の３８ページの処理手順に関する情報の読み取りが行われる。
【０１５５】
３３ページには、命令情報として「ＳＤ」、データ情報としてサーバ３００のデータベースＤＢに返却登録を要求するための返却要求データ、及び指標情報として「３４」が格納されている。上記命令情報「ＳＤ」を受けたスキャナ２００の制御回路２０２’は通信回線ＮＷを介してサーバ３００のデータベースＤＢに上記返却要求データ送信する。そして、指標情報が「３４」となっているため次に３４ページの処理手順に関する情報の読み取りが行われる。
【０１５６】
３４ページには、命令情報として「ＳＩ」、データ情報として「０」のページアドレスデータ、及び指標情報として「３５」が格納されている。上記命令情報「ＳＩ」を受けたスキャナ２００の制御回路２０２’は通信回線ＮＷを介してサーバ３００のデータベースＤＢに０ページのデータ情報であるＵＩＤを送信する。そして、指標情報が「３５」となっているため次に３５ページの処理手順に関する情報の読み取りが行われる。
【０１５７】
３５ページには、命令情報として「ＤＤ」、データ情報として「この本を返却しました」の表示データ、及び指標情報として「３６」が格納されている。上記命令情報「ＤＤ」を受けたスキャナ２００の制御回路２０２’は表示部２０５に上記表示データ「この本を返却しました」の表示を行わせる。そして、指標情報が「３６」となっているため次に３６ページの処理手順に関する情報の読み取りが行われる。
【０１５８】
３６ページには、命令情報として「ＷＺ」、データ情報として「１２」の指標データ、及び指標情報として「３８」が格納されている。上記命令情報「ＷＺ」を受けたスキャナ２００の制御回路２０２’は高周波回路２０１に制御信号を送信し、書籍ＢのタグラベルＴBに備えられる無線タグ回路素子Ｔoに書き込み信号を送信アンテナ２１０を介して送信させる。これにより、０ページの指標データが「２７」から「１２」に更新される。そして、指標情報が「３８」となっているため次に３８ページの処理手順に関する情報の読み取りが行われる。
【０１５９】
なお、３７ページには、命令情報として「ＤＤ」、データ情報として「借り手が一致しません」の表示データ、及び指標情報として「３８」が格納されている。上記命令情報「ＤＤ」を受けたスキャナ２００の制御回路２０２’は表示部２０５に上記表示データ「借り手が一致しません」の表示を行わせる。そして、指標情報が「３８」となっているため次に３８ページの処理手順に関する情報の読み取りが行われる。
【０１６０】
３８ページには、命令情報として「ＤＤ」、及びデータ情報として「返却処理を終了します」の表示データが格納されている。上記命令情報「ＤＤ」を受けたスキャナ２００の制御回路２０２’は表示部２０５に上記表示データ「返却処理を終了します」の表示を行わせる。そして、本３８ページには指標情報が格納されていないため、前述の図１０に示すステップＳ４３０の判定が満たされず、処理を終了する。
【０１６１】
以上の２７〜３８ページの処理手順をスキャナ２００の制御回路２０２’が実行することにより、前述の図９に示す「返却処理」と同様の処理手順が行われることとなる。
【０１６２】
以上において、上記命令情報「ＤＤ」「ＤＱ」「ＤＩ」は、特許請求の範囲各項記載の表示処理情報に相当する。
【０１６３】
以上説明した変形例によれば、上記実施形態と同様の効果を奏するとともに、さらに以下の効果を得ることができる。
【０１６４】
すなわち、上記変形例においては、書籍ＢのタグラベルＴBの情報読み取り後に実行すべき処理メニュー（登録処理、貸出処理、返却処理）の指示情報（処理手順に関する情報）が、無線タグ回路素子ＴoのＩＣ回路部１５０に記憶保持されていることにより、人物Ｍがスキャナ２００で書籍Ｂの情報読み取りを行ったとき、取得された指示情報に沿った処理メニューが自動的に実行される。これにより、前述した実施形態のようにスキャナが上記処理メニューを行う機能（プログラム）を有する必要が無く、無線タグ回路素子Ｔoの０ページの情報を読み取り命令を実行するだけの簡易な機能のスキャナを用いることができる。その結果、図書館から書籍Ｂを借りた人物Ｂが家庭に所持する簡易的な機能のスキャナによっても上記処理メニューを実行させることが可能となり、例えばそのスキャナに未返却状態の書籍Ｂをかざすことにより、返却処理が実行されて返却予定日を確認するといったことが可能となる。
【０１６５】
また、本変形例では特に、書籍ＢのタグラベルＴBの情報読み取り後に実行すべき処理メニューの指示情報が無線タグ回路素子ＴoのＩＣ回路部１５０に記憶保持されていることにより、人物Ｍがスキャナ２００で書籍Ｂの情報読み取りを行ったとき、取得された指示情報に沿った処理メニューが自動的に実行される。この結果、管理対象物品である書籍Ｂの管理状態（貸借状態）に対応した適正な処理を実行することができる。
【０１６６】
また、本変形例では特に、書籍ＢのタグラベルＴBの無線タグ回路素子ＴoのＩＣ回路部１５０に、一連の処理手順からなる処理メニューを指示するための複数の指示情報を、処理順序に沿うように互いに関連づけて記憶保持させる。これにより、人物Ｍがスキャナ２００で書籍Ｂの情報読み取りを行ったとき、複数の指示情報を所定の処理順序で円滑に実行し、一連の処理手順を完了することができる。
【０１６７】
また、本変形例では特に、書籍Ｂの無線タグ回路素子ＴoのＩＣ回路部メモリ部１５５が、一連の処理手順からなる処理メニューが複数のページアドレスに分けて格納されるように構成されており、各指示情報が一連の処理手順に沿った次の処理手順を表す指示情報のページアドレスへの指標情報を含むように構成されている。これにより、人物Ｍがスキャナ２００で書籍Ｂの情報読み取りを行ったとき、指標情報をたどりながら各ページアドレスの指示情報を順次読み取ることができる。この結果、複数の指示情報を所定の処理順序で円滑に実行し、一連の処理手順を完了することができる。
【０１６８】
また、本変形例では特に、各指示情報が人物Ｍによる操作部２０４からの操作入力に応じ切り替え指定される互いに異なる２つの指標情報を含むように構成されている。これにより、人物Ｍの操作に応じて異なるページアドレスへ移行することにより、人物Ｍがスキャナ２００で書籍Ｂの情報読み取りを行ったとき、操作の内容に応じ異なる処理を実行することができる。
【０１６９】
また、本変形例では特に、各指示情報が無線タグ情報の読み取り結果に応じてスキャナ２００により実行される表示メニューを指示するための表示処理情報を含むように構成されている。これにより、人物Ｍがスキャナ２００で書籍Ｂの情報読み取りを行ったとき、取得された表示処理情報に沿った表示メニューが自動的に実行される。この結果、管理対象物品である書籍Ｂの管理状態（貸借状態）に対応した適正な表示メニューを表示することができる。
【０１７０】
（２）本タグ・人物タグの両方を読み取れた場合に貸出・返却処理を行う場合
上記実施形態では、書籍ＢのタグラベルＴBの情報読み取りを行いその管理状態情報に応じて登録、貸出、返却処理を行うようにしたが、これに限られず、貸出、返却処理については図書館利用者である人物ＭのタグラベルＴMの情報が読み取れた場合にのみ行うようにし、人物Ｍのタグ情報の読み取りができなかった場合には貸出、返却処理を行わないようにしてもよい。
【０１７１】
図１２は、本変形例の制御回路２０２”（図示せず）が実行する制御手順を表すフローチャートであり、前述の図６に対応する図である。このフローにおいて、図６と同様の手順には同符号を付し、説明を省略する。
【０１７２】
ステップＳ１０及びステップＳ２０は前述の図６と同様であり、書籍ＢのタグラベルＴBに備えられる無線タグ回路素子Ｔoから無線タグ情報を取得し、取得した無線タグ情報中の管理状態情報の判定を行う。書籍Ｂの管理状態が未貸出状態である場合には、ステップＳ３０に移り、人物ＭのタグラベルＴMに備えられる無線タグ回路素子Ｔoの無線タグ情報（ＵＩＤ）の読み取りを行う。そして次のステップＳ４０で、上記無線タグ情報の読み取りが正常に完了したか否かの判定を行う。情報読み取りが正常に完了している場合には、ステップＳ２００Ａに移り貸出処理を行う。一方、情報読み取りが正常に完了していない場合には、貸出処理を行わずに本フローを終了する。
【０１７３】
また、上記ステップＳ２０において書籍Ｂの管理状態が未返却状態である場合には、ステップＳ５０に移り、人物ＭのタグラベルＴMに備えられる無線タグ回路素子Ｔoの無線タグ情報（ＵＩＤ）の読み取りを行う。そして次のステップＳ６０で、上記無線タグ情報の読み取りが正常に完了したか否かの判定を行う。情報読み取りが正常に完了している場合には、ステップＳ３００Ａに移り返却処理を行う。一方、情報読み取りが正常に完了していない場合には、返却処理を行わずに本フローを終了する。
【０１７４】
なお、特に図面を用いて説明はしないが、本フローにおけるステップＳ２００Ａの貸出処理においては、先のステップＳ３０において人物Ｍの無線タグ情報の読み取りをすでに行っているので、図８に示すフロー中のステップＳ２２５及びステップＳ２３０が省略された貸出処理が行われる。また、本フローにおけるステップＳ３００の返却処理においても同様であり、図９に示すフロー中のステップＳ３２５及びステップＳ３３０が省略された返却処理が行われる。
【０１７５】
以上説明した変形例によれば、未貸出状態及び未返却状態の書籍Ｂに対し、人物Ｂの人物情報が正常に取得できた場合にのみ貸出処理及び返却処理を行うので、その人物の無線タグ情報（ＵＩＤや人物情報等）と書籍Ｂの無線タグ情報（ＵＩＤや属性情報等）とを関連づけ、正しく貸出管理及び返却処理を行うことが可能である。
【０１７６】
（３）その他
以上では特に説明しなかったが、例えば図書館のゲートにスキャナ２００とは別のスキャナを設置しておき、未登録状態や未貸出状態の（貸出処理が行われていない）書籍Ｂがゲートを通過した場合に報知するようにしてもよい。これにより、適切な処理が行われていない書籍の持ち出し、窃盗等を防止することができる。
【０１７７】
また、例えば図書館の各書棚にスキャナ２００とは別のスキャナを設置しておき、未登録状態や未返却状態（貸出中状態）の書籍Ｂが書棚に存在した場合に報知するようにしてもよい。これにより、適切に登録処理が行われていない書籍Ｂが書棚に陳列されたり、適切に返却処理が行われていない書籍Ｂが書棚に返却されたりすることを防止することができる。さらには、各書籍ＢのタグラベルＴBに位置情報（書棚の番号等）を記憶保持するようにしておき、各書棚に設けたスキャナにより各書籍Ｂの位置情報を読み取り、その読み取った位置と当該書棚が一致しない場合に報知するようにしてもよい。これにより、貸し出しをしていない未貸出状態の書籍Ｂの位置管理を行うことができる。
【０１７８】
また、以上では登録処理において人物Ｍの無線タグ情報の読み取りを行わなかったが、これに限られず、登録処理においても人物Ｍ（ここでは図書館員）がタグラベルＴMを身に着けるようにしておき、読み取った無線タグ情報（ＵＩＤ）を書籍ＢのタグラベルＴBに書き込むようにしてもよい。これにより、各書籍Ｂの登録処理を誰が行ったかを管理することができ、書籍Ｂの管理をよりきめ細かに行うことができる。
【０１７９】
また、以上では貸出処理において借り手である人物Ｂの無線タグ情報の読み取りを行い書籍ＢのタグラベルＴBに書き込むようにしたが、さらにその際に対応した図書館員の無線タグ情報をタグラベルＴBに書き込むようにしてもよい。これにより、各書籍Ｂの貸出処理を誰が行ったかを管理することができ、書籍Ｂの管理をよりきめ細かに行うことができる。
【０１８０】
また、以上では返却時の人物と貸出時の人物とが一致した場合に返却処理を行う場合を一例として説明したが、これに限られない。すなわち、返却処理において書籍ＢのタグラベルＴBに書き込まれた人物ＭのＵＩＤを読み取ることにより、貸し出した人物が誰であるか把握できることから、人物の照合を行わずに返却処理を行うようにしてもよい。これにより、書籍Ｂのみ図書館に持って行けば正常に返却処理を行うことができるので、図書館利用者は例えば家族や知り合いに返却を依頼する等が可能となり、利用者の利便性を向上することができる。
【０１８１】
また、以上では特に記載しなかったが、例えばサーバ３００の動作不調や、書籍Ｂが重なって読み取られなかった場合等、何らかの理由で各処理（登録処理、貸出処理、返却処理）においてデータベースＤＢへの登録が漏れてしまうことも考えられる。この場合には、書棚に本はあるのに未登録状態又は貸し出し状態のままといった事態が生じうる。このような事態に備え、各処理（登録処理、貸出処理、返却処理）において、書籍ＢのタグラベルＴBの無線タグ回路素子ＴoにデータベースＤＢとの同期を確認したかどうかの情報（登録確認情報。例えばサーバ３００からアンサーバック信号を受信した際に記録される）を書き込むようにしてもよい。これにより、スキャナ読み取り時に登録漏れの状態も検出可能となり、書籍Ｂの状態をさらに詳細に知ることができる。
【０１８２】
また、以上では、本発明の無線タグ及び無線タグ情報読み取り装置を図書館における書籍の貸し出し管理システムに適用した場合を一例として示したが、これ以外にも、例えばＣＤやＤＶＤのレンタル店、事務用品のレンタル店、レンタカー等、様々な物品の貸し出し管理等に適用可能であり、さらには、人材派遣等における人材管理等にも適用することが可能である。
【０１８３】
また、以上既に述べた以外にも、上記実施形態や各変形例による手法を適宜組み合わせて利用しても良い。
【０１８４】
その他、一々例示はしないが、本発明は、その趣旨を逸脱しない範囲内において、種々の変更が加えられて実施されるものである。
【図面の簡単な説明】
【０１８５】
【図１】本発明の無線タグ及び無線タグ情報読み取り装置を備えた図書館において、人物が書籍をデータベースに登録する際、又は人物が書籍を借りる（又は返却する）ときの様子を示す図である。
【図２】本実施形態のスキャナを有する無線タグ情報通信システムの全体構成を表すシステム構成図である。
【図３】制御回路の詳細機能を表す機能ブロック図である。
【図４】タグラベルに備えられた無線タグ回路素子の機能的構成の一例を表すブロック図である。
【図５】タグラベルの無線タグ回路素子のＩＣ回路部のメモリ部のデータ構成の一例を表す図である。
【図６】制御回路が実行する制御手順を表すフローチャートである。
【図７】ステップＳ１００の詳細手順を表すフローチャートである。
【図８】ステップＳ２００の詳細手順を表すフローチャートである。
【図９】ステップＳ３００の詳細手順を表すフローチャートである。
【図１０】タグ側にスキャナの処理手順に関する情報を記憶させる場合の変形例におけるスキャナの制御回路が実行する制御手順を表すフローチャートである。
【図１１】タグ側にスキャナの処理手順に関する情報を記憶させる場合の変形例におけるタグラベルの無線タグ回路素子のＩＣ回路部のメモリ部のデータ構成の一例を表す図である。
【図１２】本タグ・人物タグの両方を読み取れた場合に貸出・返却処理を行う場合の変形例におけるスキャナの制御回路が実行する制御手順を表すフローチャートである。
【符号の説明】
【０１８６】
１５０      ＩＣ回路部
１５１      アンテナ(タグ側アンテナ)
２００      スキャナ（無線タグ情報読み取り装置）
２１０      アンテナ（通信手段）
Ｂ          書籍（管理対象物品）
ＴB         タグラベル（無線タグ）
Ｔo         無線タグ回路素子（物品用無線タグ回路素子、人物用無線タグ回路素子）
【図１】
2008186119.tif 000003
【図２】
2008186119.tif 000004
【図３】
2008186119.tif 000005
【図４】
2008186119.tif 000006
【図５】
2008186119.tif 000007
【図６】
2008186119.tif 000008
【図７】
2008186119.tif 000009
【図８】
2008186119.tif 000010
【図９】
2008186119.tif 000011
【図１０】
2008186119.tif 000012
【図１１】
2008186119.tif 000013
【図１２】
2008186119.tif 000014